(57)【要約】【課題】撮影時の位置、方位等の情報を画像情報に併せて記録し、また、画像再生時にそれらの情報を出力する機能を実現する。【解決手段】ＣＣＤ等を含む構成を有する画像信号入力手段４０１、マイコン等の画像信号記録再生手段４０２、ＲＡＭ等の画像信号記憶装置４０３および液晶パネル等の画像信号出力手段４０４等によって構成される画像情報の処理系と共に、ＧＰＳアンテナ等の位置情報入力手段４０９、磁気方位デバイス等の方位情報入力手段４１０、マイコン等の画像附帯情報記憶制御装置４０６およびＲＡＭ等の画像附帯情報記憶装置４０７等によって構成される画像附帯情報の処理系を設ける。記録時には、画像情報と共に、位置、方位等の画像附帯情報が記憶される。一方、再生時には、命令入力手段４０５が画像情報の処理系と、画像附帯情報の処理系とを併せて制御することにより、画像情報と、画像附帯情報とを併せて出力することができる。  【選択図】図４
2007037168.tif 000002
【特許請求の範囲】
【請求項１】
電子カメラであって、
前面側から取り込んだ光学画像を変換した画像信号を入力する撮像入力手段と、
撮影位置を示す撮影位置情報、撮影方位を示す撮影方位情報および撮影時の装置の傾きを示す傾度情報の何れか一つを画像付帯情報として取得し、該取得した画像付帯情報を上記撮像入力手段から入力される画像信号に重畳する画像付帯情報重畳手段と、
撮影命令により、上記画像付帯情報重畳手段からの上記画像付帯情報が重畳された画像信号を記憶する記憶手段と、
再生命令により、上記記憶手段に記憶された上記画像信号を読み出す画像信号再生手段と、
上記画像信号再生手段により読み出された上記画像信号を出力する画像信号出力手段と、
上記画像信号再生手段により読み出された画像信号から画像付帯情報を抽出する画像付帯情報抽出手段と、
上記画像付帯情報抽出手段により抽出された画像付帯情報を出力する画像付帯情報出力手段と、
上記電子カメラの背面部にあって、上記画像信号出力手段または上記画像付帯情報出力手段からの出力を表示する表示手段と
を備えたことを特徴とする電子カメラ。
【請求項２】
上記画像付帯情報重畳手段は、上記画像付帯情報を上記画像信号に全体的に薄くノイズの様に載せることにより重畳する、または上記画像信号の有効画面の内あらかじめ定められたエリアに上記画像付帯情報を書き込むことにより重畳することを特徴とする請求項１に記載の電子カメラ。
【請求項３】
上記位置情報を取得するために、ＧＰＳアンテナおよびデコーダを備えることを特徴とする請求項１に記載の電子カメラ。
【請求項４】
前面側から取り込んだ光学画像を変換した画像信号を入力する撮像入力ステップと、
撮影位置を示す撮影位置情報、撮影方位を示す撮影方位情報および撮影時の装置の傾きを示す傾度情報の何れか一つを画像付帯情報として取得し、該取得した画像付帯情報を上記撮像入力ステップから入力される画像信号に重畳する画像付帯情報重畳ステップと、
撮影命令により、上記画像付帯情報重畳ステップからの上記画像付帯情報が重畳された画像信号を記憶する記憶ステップと、
再生命令により、上記記憶ステップに記憶された上記画像信号を読み出す画像信号再生ステップと、
上記画像信号再生ステップにより読み出された上記画像信号を出力する画像信号出力ステップと、
上記画像信号再生ステップにより読み出された画像信号から画像付帯情報を抽出する画像付帯情報抽出ステップと、
上記画像付帯情報抽出ステップにより抽出された画像付帯情報を出力する画像付帯情報出力ステップと、
上記電子カメラの背面部に備えられた表示手段に、上記画像信号出力ステップまたは上記画像付帯情報出力ステップからの出力を表示する表示ステップと
を備えたことを特徴とする画像記録再生方法。
【発明の詳細な説明】
【技術分野】
【０００１】
この発明は、光学画像を電気信号に変換して記録保存する、電子カメラおよび画像記録再生方法に関する。
【背景技術】
【０００２】
ある画像の被写体を撮影後に処理しようとする場合には、その画像を撮影した状況に関する情報が重要であることも多い。例えば、ある被写体を後から詳しく知りたいような場合、その画像が、どこからどこを撮影したのか、という情報が最も重要だと考えられる。
【発明の開示】
【発明が解決しようとする課題】
【０００３】
しかしながら、従来、光学画像を電気信号に変換して記録保存する電子カメラ等の画像記録再生装置では、撮影時の撮影位置あるいは撮影方位あるいは撮影傾度という情報を併せて記録し、また画像再生時に併せてそれらの情報を出力する機能がなかったので、別の手段を用いてそれらの情報を管理する必要があった。
【０００４】
かかる点に鑑み、この発明の目的は、撮影時の撮影位置あるいは撮影方位あるいは撮影傾度という情報を併せて記録し、また画像再生時に併せてそれらの情報を出力する機能を持つ、電子カメラおよび画像記録再生方法を提案することにある。
【課題を解決するための手段】
【０００５】
上記課題を解決するために、第１の発明は、電子カメラであって、前面側から取り込んだ光学画像を変換した画像信号を入力する撮像入力手段と、撮影位置を示す撮影位置情報、撮影方位を示す撮影方位情報および撮影時の装置の傾きを示す傾度情報の何れか一つを画像付帯情報として取得し、取得した画像付帯情報を撮像入力手段から入力される画像信号に重畳する画像付帯情報重畳手段と、撮影命令により、画像付帯情報重畳手段からの画像付帯情報が重畳された画像信号を記憶する記憶手段と、再生命令により、記憶手段に記憶された画像信号を読み出す画像信号再生手段と、画像信号再生手段により読み出された画像信号を出力する画像信号出力手段と、画像信号再生手段により読み出された画像信号から画像付帯情報を抽出する画像付帯情報抽出手段と、画像付帯情報抽出手段により抽出された画像付帯情報を出力する画像付帯情報出力手段と、電子カメラの背面部にあって、画像信号出力手段または画像付帯情報出力手段からの出力を表示する表示手段とを備えたことを特徴とする電子カメラである。
【０００６】
なお、上述の画像付帯情報重畳手段は、画像付帯情報を画像信号に全体的に薄くノイズの様に載せることにより重畳する、または画像信号の有効画面の内あらかじめ定められたエリアに画像付帯情報を書き込むことにより重畳することが好ましい。
【０００７】
また、上述の電子カメラは、位置情報を取得するために、ＧＰＳアンテナおよびデコーダを備えることが好ましい。
【０００８】
また、第２の発明は、前面側から取り込んだ光学画像を変換した画像信号を入力する撮像入力ステップと、撮影位置を示す撮影位置情報、撮影方位を示す撮影方位情報および撮影時の装置の傾きを示す傾度情報の何れか一つを画像付帯情報として取得し、取得した画像付帯情報を撮像入力ステップから入力される画像信号に重畳する画像付帯情報重畳ステップと、撮影命令により、画像付帯情報重畳ステップからの画像付帯情報が重畳された画像信号を記憶する記憶ステップと、再生命令により、記憶ステップに記憶された画像信号を読み出す画像信号再生ステップと、画像信号再生ステップにより読み出された画像信号を出力する画像信号出力ステップと、画像信号再生ステップにより読み出された画像信号から画像付帯情報を抽出する画像付帯情報抽出ステップと、画像付帯情報抽出ステップにより抽出された画像付帯情報を出力する画像付帯情報出力ステップと、電子カメラの背面部に備えられた表示手段に、画像信号出力ステップまたは画像付帯情報出力ステップからの出力を表示する表示ステップとを備えたことを特徴とする画像記録再生方法である。
【０００９】
この発明では、撮影時の撮影位置あるいは撮影方位あるいは撮影傾度という情報を併せて記録可能であり、また画像再生時に併せてそれらの情報を出力可能である、電子カメラを実現できる。
【発明の効果】
【００１０】
この発明によれば、画像に関する情報すなわち画像付帯情報を、画像と別に管理しなければならない不便を解消することができる。
【発明を実施するための最良の形態】
【００１１】
以下、この発明に係わる電子カメラの好適な実施例を図面を参照しながら詳細に説明する。
【００１２】
以下、この発明の実施例を説明するにあたり、特許請求の範囲に記載の発明の各手段あるいは電子カメラのいくつかに対して具体例を記載しているが、それは、それらの手段あるいは電子カメラを記載の具体例に限定することを意味しないことは言うまでもない。それらの各手段あるいは電子カメラと同様の機能を持つ他のいかなる方法を用いても、この発明が実現できることは自明である。
【００１３】
本明細書では、レンズ等を通して結像させた画像を、光学画像と標記する。また、光学画像を変換した電気的な信号を、画像信号と標記する。ただし、画像信号には、画像信号に画像付帯情報を重畳した信号をも含む。
【００１４】
また本明細書では、地球上の唯一の場所を示す情報を、位置情報と標記する。また、電子カメラの撮影方向を地表に平行な平面に投影した角度を表す情報を、方位情報と標記する。また、電子カメラの撮影方向を、地表に垂直な平面に投影した角度を表す情報を、傾度情報と標記する。また、これらの位置情報、方位情報、傾度情報のすべてあるいはいずれかを示す際には、画像付帯情報と標記する。
【００１５】
図１は、この発明を適用した電子カメラのブロック図である。
【００１６】
画像信号入力手段１０１は、入力した光学画像を画像信号に変換して、画像信号記録再生手段１０２に供給する。画像信号入力手段の具体例としては、ＣＣＤおよびその周辺回路で構成される装置が挙げられる。
【００１７】
画像信号記録再生手段１０２は、画像信号入力手段１０１より入力した画像信号を、命令入力手段１０５からの撮影命令により、画像信号記憶装置１０３に書き込む、あるいは命令入力手段１０５からの再生命令により、画像信号記憶装置１０３より画像信号を読み出し、画像信号出力手段１０４へ供給する。画像信号記録再生手段としては、マイコンやＤＳＰ（Digital Signal Processer）が挙げられる。
【００１８】
画像信号記憶装置１０３は、画像信号記録再生手段１０２より供給される画像信号を記憶する、あるいは記憶している画像信号を画像信号記録再生手段１０２に供給する。画像信号記憶装置１０３の具体例としては、ＲＡＭあるいは磁気テープ、磁気ディスク、光学ディスクなどの電子記録媒体が挙げられる。
【００１９】
画像信号出力手段１０４は、画像信号記録再生手段１０２より供給される画像信号を出力する。画像信号出力手段１０４の具体例としては、映像信号出力端子などの標準インターフェイス、液晶パネル等の画像出力装置などが挙げられる。
【００２０】
命令入力手段１０５は、画像信号記録再生手段１０２および画像付帯情報変換装置１０６に同時に、撮影命令あるいは再生命令を与える。命令入力手段１０５の具体例としては、操作子（操作キー、操作ボタン）が挙げられる。
【００２１】
位置情報入力手段１０９は、撮影時の位置情報を取得し、画像付帯情報記憶制御装置１０６に供給する。位置情報入力手段１０９の具体例としては、ＧＰＳ（Global Positioning System）アンテナ及びデコーダを挙げることができる。
【００２２】
画像付帯情報記憶制御装置１０６は、命令入力手段１０５からの撮影命令があれば、位置情報入力手段１０９からの位置情報を、画像付帯情報記憶装置１０７に書き込む、あるいは命令入力手段１０５からの再生命令があれば、画像付帯情報記憶装置１０７より位置情報を読み出し、画像付帯情報出力手段１０８へ供給する。画像付帯情報記憶制御装置１０６の具体例としては、マイコンが挙げられる。
【００２３】
画像付帯信号記憶装置１０７は、画像付帯情報記憶制御装置１０６より供給される画像付帯信号を記憶する、あるいは記憶している画像付帯信号を画像付帯情報記憶制御装置１０６に供給する。画像付帯信号記憶装置１０７の具体例としては、ＲＡＭあるいは磁気テープ、磁気ディスク、光学ディスクなどの記録媒体が挙げられる。
【００２４】
画像付帯情報出力手段１０８は、画像付帯情報記憶制御装置１０６より供給される位置情報を出力する。画像付帯情報出力手段１０８の具体例としては、シリアルインターフェス、液晶パネルとキャラクタジェネレータで構成される文字情報出力装置などが挙げられる。
【００２５】
次に、図２のフローチャートを参照して、電子カメラの行う処理手順について説明する。
【００２６】
Ｓ２０１では、撮影命令を入力したか否かを判断し、入力したならばＳ２０２に進み、入力しないならばＳ２０４に進む。
【００２７】
Ｓ２０２では、画像入力手段より画像信号を入力し、画像信号記憶装置に書き込み、Ｓ２０３に進む。
【００２８】
Ｓ２０３では、位置情報入力手段より位置情報を取得し、その位置情報を画像付帯情報記憶装置に書き込み、Ｓ２０４に進む。
【００２９】
Ｓ２０４では、再生命令を入力したか否かを判断し、入力したならばＳ２０５に進み、入力しないならばＳ２０１に戻る。
【００３０】
Ｓ２０５では、画像信号記憶装置より画像信号を読み出し、画像信号出力手段より出力する。
【００３１】
Ｓ２０３では、画像付帯情報記憶装置より位置情報を読み出し、画像付帯情報出力手段より出力し、Ｓ２０１に戻る。
【００３２】
この処理手順に従えば、撮影時に画像付帯情報として、撮影場所の位置情報保存し、また撮影した画像を再生する際に、その画像付帯情報すなわち位置情報を併せて出力することが可能である。
【００３３】
以上に示した、手段および装置および処理手順を組み合わせることで、電子カメラを実現できる。
【００３４】
図３は、この発明を適用した電子カメラの概略図である。
【００３５】
この発明を適用することにより、電子カメラ３０１は、位置入力手段であるところのＧＰＳアンテナ３０２を備え、ＧＰＳ用人工衛星３０５からの信号を受信することによって、撮影位置を取得可能である。
【００３６】
また、電子カメラ３０１は、画像信号出力手段であるところの画像信号出力用液晶モニター３０３と、画像付帯情報出力手段としての位置情報出力用文字表示液晶パネル３０４を備えている。
【００３７】
したがって、撮影時には、ＧＰＳアンテナ３０２が取得した位置情報を、画像信号と共に記憶し、再生時には、再生画像を液晶モニター３０３に表示する供に、その画像の位置情報を文字表示液晶パネル３０４に表示するのである。
【００３８】
上述した電子カメラでは、画像信号と供に位置情報を記録再生するので、ある画像を撮影した場所を特定できる。しかしながら、位置情報だけでは、その場所で撮影したことしか、知ることができない。
【００３９】
そこで、ある画像情報の撮影場所について、より詳しく知る為の情報として、方位情報をも併せて記録再生する機能を持つ電子カメラが好ましい。
【００４０】
図４は、この発明を適用した電子カメラのブロック図である。
【００４１】
画像信号入力手段４０１は、入力した光学画像を画像信号に変換して、画像信号記録再生手段４０２に供給する。画像信号入力手段の具体例としては、ＣＣＤおよびその周辺回路で構成される装置が挙げられる。
【００４２】
画像信号記録再生手段４０２は、画像信号入力手段４０１より入力した画像信号を、命令入力手段４０５からの撮影命令により、画像信号記憶装置４０３に書き込む、あるいは命令入力手段４０５からの再生命令により、画像信号記憶装置４０３より画像信号を読み出し、画像信号出力手段４０４へ供給する。画像信号記録再生手段としては、マイコンやＤＳＰが挙げられる。
【００４３】
画像信号記憶装置４０３は、画像信号記録再生手段４０２より供給される画像信号を記憶する、あるいは記憶している画像信号を画像信号記録再生手段４０２に供給する。画像信号記憶装置４０３の具体例としては、ＲＡＭあるいは磁気テープ、磁気ディスク、光学ディスクなどの電子記録媒体が挙げられる。
【００４４】
画像信号出力手段４０４は、画像信号記録再生手段４０２より供給される画像信号を出力する。画像信号出力手段４０４の具体例としては、映像信号出力端子などの標準インターフェイス、液晶パネル等の画像出力装置などが挙げられる。
【００４５】
命令入力手段４０５は、画像信号記録再生手段４０２および画像付帯情報変換装置４０６に同時に、撮影命令あるいは再生命令を与える。命令入力手段４０５の具体例としては、操作子（操作キー、操作ボタン）が挙げられる。
【００４６】
位置情報入力手段４０９は、撮影時の位置情報を取得し、画像付帯情報記憶制御装置４０６に供給する。位置情報入力手段４０９の具体例としては、ＧＰＳ（Global Positioning System）アンテナ及びデコーダを挙げることができる。
【００４７】
方位情報入力手段４１０は、撮影時の方位情報を取得し、画像付帯情報記憶制御装置４０６に供給する。方位情報入力手段４１０の具体例としては、地磁気を感知することで方位を知る、磁気方位デバイスを挙げることができる。
【００４８】
画像付帯情報記憶制御装置４０６は、命令入力手段４０５からの撮影命令があれば、位置情報入力手段４０９からの位置情報および方位情報入力手段４１０からの方位情報を、画像付帯情報記憶装置４０７に書き込む、あるいは命令入力手段４０５からの再生命令があればに、画像付帯情報記憶装置４０７より位置情報および方位情報を読み出し、画像付帯情報出力手段４０８へ供給する。画像付帯情報記憶制御装置４０６の具体例としては、マイコンが挙げられる。
【００４９】
画像付帯信号記憶装置４０７は、画像付帯情報記憶制御装置４０６より供給される画像付帯信号を記憶する、あるいは記憶している画像付帯信号を画像付帯情報記憶制御装置４０６に供給する。画像付帯信号記憶装置４０７の具体例としては、ＲＡＭあるいは磁気テープ、磁気ディスク、光学ディスクなどの電子記録媒体が挙げられる。
【００５０】
画像付帯情報出力手段４０８は、画像付帯情報記憶制御装置４０６より供給される位置情報および方位情報を出力する。画像付帯情報出力手段４０８の具体例としては、シリアルインターフェス、液晶パネルとキャラクタジェネレータで構成される文字情報出力装置などが挙げられる。
【００５１】
以上に示した電子カメラを用いれば、撮影時に画像付帯情報として、撮影場所の位置情報および方位情報を保存し、また撮影した画像を再生する際に、それら画像付帯情報を併せて出力することが可能である。
【００５２】
上述した電子カメラは、ある画像情報の撮影場所について、より詳しく知る為の情報として、さらに傾度情報をも併せて記録再生する機能を持つ装置である。
【００５３】
図５は、この発明を適用した電子カメラのブロック図である。
【００５４】
画像信号入力手段５０１は、入力した光学画像を画像信号に変換して、画像信号記録再生手段５０２に供給する。画像信号入力手段の具体例としては、ＣＣＤおよびその周辺回路で構成される装置が挙げられる。
【００５５】
画像信号記録再生手段５０２は、画像信号入力手段５０１より入力した画像信号を、命令入力手段５０５からの撮影命令により、画像信号記憶装置５０３に書き込む、あるいは命令入力手段５０５からの再生命令により、画像信号記憶装置５０３より画像信号を読み出し、画像信号出力手段５０４へ供給する。画像信号記録再生手段としては、マイコンやＤＳＰが挙げられる。
【００５６】
画像信号記憶装置５０３は、画像信号記録再生手段５０２より供給される画像信号を記憶する、あるいは記憶している画像信号を画像信号記録再生手段５０２に供給する。画像信号記憶装置５０３の具体例としては、ＲＡＭあるいは磁気テープ、磁気ディスク、光学ディスクなどの電子記録媒体が挙げられる。
【００５７】
画像信号出力手段５０４は、画像信号記録再生手段５０２より供給される画像信号を出力する。画像信号出力手段５０４の具体例としては、映像信号出力端子などの標準インターフェイス、液晶パネル等の画像出力装置などが挙げられる。
【００５８】
命令入力手段５０５は、画像信号記録再生手段５０２および画像付帯情報変換装置５０６に同時に、撮影命令あるいは再生命令を与える。命令入力手段５０５の具体例としては、操作子（操作キー、操作ボタン）が挙げられる。
【００５９】
位置情報入力手段５０９は、撮影時の位置情報を取得し、画像付帯情報記憶制御装置５０６に供給する。位置情報入力手段５０９の具体例としては、ＧＰＳ（Global Positioning System）アンテナ及びデコーダを挙げることができる。
【００６０】
方位情報入力手段５１０は、撮影時の方位情報を取得し、画像付帯情報記憶制御装置５０６に供給する。方位情報入力手段５１０の具体例としては、地磁気を感知することで方位を知る、磁気方位デバイスを挙げることができる。
【００６１】
傾度情報入力手段５１１は、撮影時の傾度情報を取得し、画像付帯情報記憶制御装置５０６に供給する。傾度情報入力手段５１０の具体例としては、傾き感知デバイスを挙げることができる。
【００６２】
画像付帯情報記憶制御装置５０６は、命令入力手段５０５からの撮影命令があれば、位置情報入力手段５０９からの位置情報および方位情報入力手段５１０からの方位情報および傾度情報入力手段５１１からの傾度情報を、画像付帯情報記憶装置５０７に書き込む、あるいは命令入力手段５０５からの再生命令があればに、画像付帯情報記憶装置５０７より位置情報および方位情報および傾度情報を読み出し、画像付帯情報出力手段５０８へ供給する。画像付帯情報記憶制御装置５０６の具体例としては、マイコンが挙げられる。
【００６３】
画像付帯信号記憶装置５０７は、画像付帯情報記憶制御装置５０６より供給される画像付帯信号を記憶する、あるいは記憶している画像付帯信号を画像付帯情報記憶制御装置５０６に供給する。画像付帯信号記憶装置５０７の具体例としては、ＲＡＭあるいは磁気テープ、磁気ディスク、光学ディスクなどの電子記録媒体が挙げられる。
【００６４】
画像付帯情報出力手段５０８は、画像付帯情報記憶制御装置５０６より供給される位置情報および方位情報を出力する。画像付帯情報出力手段５０８の具体例としては、シリアルインターフェス、液晶パネルとキャラクタジェネレータで構成される文字情報出力装置などが挙げられる。
【００６５】
以上に示した電子カメラを用いれば、撮影時に画像付帯情報として、撮影場所の位置情報および方位情報および傾度情報を保存し、また撮影した画像を再生する際に、それら画像付帯情報を併せて出力することが可能である。
【００６６】
これまでの説明及び例示では、画像情報と画像付帯情報は、別々に記憶装置に記憶していたが、これらはなるべく一緒に扱う方が、便利であることは自明である。
【００６７】
特に、画像情報を記憶する画像情報記憶装置および画像付帯情報を記憶する画像付帯情報記憶装置が、取り外し可能な装置、例えば光ディスクや磁気テープであった場合、両者を一緒に扱えることの効果は顕著である。
【００６８】
その方法としては、画像情報と画像付帯情報を同じ記憶装置に記憶する、すなわち画像信号記憶装置と画像付帯信号記憶装置を、ひとつの記憶装置で共用する方法が挙げられる。
【００６９】
また、両記憶装置が共に取り外し可能な装置であった場合には、両記憶装置を同じ筐体に納める方が、扱い易いことは自明である。
【００７０】
さらにこれまでの説明及び例示では、画像情報と画像付帯情報を別々に扱っていたのであるが、画像情報の中に画像付帯情報を埋め込むことができれば、両者を物理的に一つとして扱うことが可能である。すなわち画像信号に画像付帯情報を重畳するのである。
【００７１】
重畳方法としては、全体的に薄くノイズの様に載せる方法の様に、視認者になるべく気がつかないように重畳する方法や、有効画面の内あらかじめ定められたエリアに情報を書き込む方法の様に、積極的に画像信号に載せる方法もあるが、いずれの方法を用いても、その効果が変わらないことは言うまでもない。
【００７２】
図６は、この発明を適用し、画像信号に画像付帯情報を重畳し、その信号を画像信号記憶装置にて記録再生することを特徴とする電子カメラのブロック図である。
【００７３】
画像信号入力手段６０１は、入力した光学画像を画像信号に変換して、画像付帯情報重畳手段６０２に供給する。画像信号入力手段の具体例としては、ＣＣＤおよびその周辺回路で構成される装置が挙げられる。
【００７４】
画像付帯情報重畳手段６０２は、画像信号入力手段６０１より入力した画像信号に、画像付帯情報変換装置６０８より入力した画像付帯情報を重畳し、画像信号記録再生手段６０３に供給する。重畳方法の具体例としては、スペクトラム拡散法が挙げられる。
【００７５】
画像信号記録再生手段６０３は、画像付帯信号重畳手段６０２より入力した画像信号を、命令入力手段６０７からの撮影命令により、画像信号記憶装置６０４に書き込む、あるいは命令入力手段６０７からの再生命令により、画像信号記憶装置６０４より画像信号を読み出し、画像信号出力手段６０５および画像付帯信号抽出手段６０６へ供給する。画像信号記録再生手段としては、マイコンやＤＳＰが挙げられる。
【００７６】
画像信号記憶装置６０４は、画像信号記録再生手段６０３より供給される画像信号を記憶する、あるいは記憶している画像信号を画像信号記録再生手段６０３に供給する。画像信号記憶装置６０４の具体例としては、ＲＡＭあるいは磁気テープ、磁気ディスク、光学ディスクなどの電子記録媒体が挙げられる。
【００７７】
画像信号出力手段６０５は、画像信号記録再生手段６０３より供給される画像信号を出力する。画像信号出力手段６０５の具体例としては、映像信号出力端子などの標準インターフェイス、液晶パネル等の画像出力装置などが挙げられる。
【００７８】
命令入力手段６０７は、画像信号記録再生手段６０３に、撮影命令あるいは再生命令を与える。命令入力手段６０８の具体例としては、操作子（操作キー、操作ボタン）が挙げられる。
【００７９】
位置情報入力手段６０９は、撮影時の位置情報を取得し、画像付帯情報制御装置６０８に供給する。位置情報入力手段６０９の具体例としては、ＧＰＳ（Global Positioning System）アンテナ及びデコーダを挙げることができる。
【００８０】
方位情報入力手段６１０は、撮影時の方位情報を取得し、画像付帯情報制御装置６０８に供給する。方位情報入力手段６１０の具体例としては、地磁気を感知することで方位を知る、磁気方位デバイスを挙げることができる。
【００８１】
傾度情報入力手段６１１は、撮影時の傾度情報を取得し、画像付帯情報制御装置６０８に供給する。傾度情報入力手段６１０の具体例としては、傾き感知デバイスを挙げることができる。
【００８２】
画像付帯情報制御装置６０８は、位置情報入力手段６０９からの位置情報および方位情報入力手段６１０からの方位情報および傾度情報入力手段６１１からの傾度情報を、画像付帯情報重畳手段６０２に供給する。画像付帯情報制御装置６０８の具体例としては、マイコンが挙げられる。
【００８３】
画像付帯信号抽出手段６０６は、画像信号に重畳されている画像付帯情報を抽出し、画像付帯情報出力手段６１２に供給する。画像付帯信号抽出手段６０６の具体例としては、ＤＳＰが挙げられる。
【００８４】
画像付帯情報出力手段６１２は、画像付帯情報抽出手段６０６より供給される位置情報および方位情報を出力する。画像付帯情報出力手段６１２の具体例としては、シリアルインターフェス、液晶パネルとキャラクタジェネレータで構成される文字情報出力装置などが挙げられる。
【００８５】
以上に示した電子カメラを用いれば、撮影時の画像付帯情報を画像信号に重畳し、画像信号記憶装置にて記録再生することが可能であり、画像記憶装置と画像付帯情報記憶装置を別々に考える必要はない。
【００８６】
これまでの説明及び例示では、すべてこの発明を静止画像の記録再生装置に適用したものであるが、この発明を動画像の記録再生装置に適用しても、同様の効果を得られることは言うまでもない。
【００８７】
また、これまでの説明及び例示では、画像に関する情報すなわち画像付帯情報として、撮影場所に関する情報すなわち位置情報あるいは方位情報あるいは傾度情報を扱っているが、他のいかなる情報、例えば絞り値、ズーム比、シャッタースピードというような撮影方法に関する情報を扱うとしても、この発明により、同様の効果を得られることは言うまでもない。
【図面の簡単な説明】
【００８８】
【図１】この発明による、位置情報入力手段を備えた電子カメラのブロック図である。
【図２】この発明による、電子カメラの処理フローチャートの一例である。
【図３】この発明による、電子カメラの概略図である。
【図４】この発明による、位置情報入力手段と方位情報入力手段を備えた電子カメラのブロック図である。
【図５】この発明による、位置情報入力手段と方位情報入力手段と傾度情報入力手段を備えた電子カメラのブロック図である。
【図６】この発明による、画像付帯情報を画像信号に重畳する電子カメラのブロック図である。
【符号の説明】
【００８９】
１０１…画像信号入力手段
１０２…画像信号記録再生手段
１０３…画像信号記録装置
１０４…画像信号出力手段
１０５…命令入力手段
１０６…画像付帯情報記憶制御装置
１０７…画像付帯情報記憶装置
１０８…画像付帯情報出力手段
１０９…位置情報入力手段
２０１…音響信号入力手段
２０２…ＢＰＦ
２０３…Ａ／Ｄコンバータ
２０４…信号変換手段
２０５…音響制御信号制御信号対応記憶装置
３０１…電子カメラ
３０２…ＧＰＳアンテナ
３０３…画像出力用液晶モニター
３０４…画像付帯情報出力用文字液晶パネル
３０５…ＧＰＳ用人工衛星
４０１…画像信号入力手段
４０２…画像信号記録再生手段
４０３…画像信号記録装置
４０４…画像信号出力手段
４０５…命令入力手段
４０６…画像付帯情報記憶制御装置
４０７…画像付帯情報記憶装置
４０８…画像付帯情報出力手段
４０９…位置情報入力手段
４１０…方位情報入力手段
５０１…画像信号入力手段
５０２…画像信号記録再生手段
５０３…画像信号記録装置
５０４…画像信号出力手段
５０５…命令入力手段
５０６…画像付帯情報記憶制御装置
５０７…画像付帯情報記憶装置
５０８…画像付帯情報出力手段
５０９…位置情報入力手段
５１０…方位情報入力手段
５１１…傾度情報入力手段
６０１…画像信号入力手段
６０２…画像付帯情報重畳手段
６０３…画像信号記録再生手段
６０４…画像信号記録装置
６０５…画像信号出力手段
６０６…画像付帯情報抽出手段
６０７…命令入力手段
６０８…画像付帯情報制御装置
６０９…位置情報入力手段
６１０…方位情報入力手段
６１１…傾度情報入力手段
【図１】
2007037168.tif 000003
【図２】
2007037168.tif 000004
【図３】
2007037168.tif 000005
【図４】
2007037168.tif 000006
【図５】
2007037168.tif 000007
【図６】
2007037168.tif 000008